(57)【要約】      （修正有）【課題】人手を介することなく自動的かつ安定的に、使用できると共に、これが簡単容易に実現される、火災煙警報器により動作する漏電遮断器を提供する。【解決手段】この火災煙警報機による漏電遮断器の動作は、火災煙警報器１の音声出力の片側のＡの信号を、エミッタ接地形トランジスタ２のベ−スに入力することにより、コレクタ、エミッタ間が通電し、電磁リレ−のａ接点４が閉じて、接地線５に接続され、単相漏電遮断器７、三相漏電遮断器が動作して火災が拡大しないようにすることができる。【選択図】図１
0003174963.tif 000002
【実用新案登録請求の範囲】
【請求項１】
火災煙警報器１の音声出力の片側のＡには、エミッタ接地形トランジスタ２のベ−スに、火災煙警報器１の電池電源のマイナス側のＢには、エミッタに、電磁リレ−のコイル３には、コレクタにそれぞれ接続し、エミッタ形接地トランジスタ２のベ−スに信号が入力すると、電磁リレ−のコイル３に電流が流れ、電磁リレ−のａ接点４が閉じて、接地線５と単相漏電遮断器７のＬ側、三相漏電遮断器８のＲ相またはＴ相が接続されて、単相漏電遮断器７又は三相漏電遮断器８が動作遮断するような構成である。          
【考案の詳細な説明】
【技術分野】
【０００１】
本考案は、漏電遮断器の動作に関する。すなわち、火災煙警報器により、漏電遮断器を動作させるに関するものである。
【背景技術】
【０００２】
一般電器製品、産業用機器、変電所内機器に、漏電遮断器を設置されていながら、漏電遮断器が動作せず、火災になる事故が多く発生している。
【先行技術文献】
【特許文献】
【０００３】
【特許文献１】特開２００１−２２９８０４号公報
【考案の概要】
【考案が解決しようとする課題】
【０００４】
漏電遮断器は、微小電流（ｍＡ単位）で動作するが、設定した微小電流以下で火災になる、という問題が指摘されていた。
【０００５】
このような実情に鑑み上記の問題を解決すべく結果なされたものであって、第１に、自動的かつ安定的に動作できると共に、第２に、しかもこれが簡単容易に実現される火災煙警報器による漏電遮断器の動作を提案することを目的とする。
【課題を解決するための手段】
【０００６】
このような課題を解決する本考案の技術的手段は、火災煙警報器１、電気制御回路部９
として、エミッタ接地形トランジスタ２、電磁リレ−のコイル３、電磁リレ−のａ接点４、接地線５、電磁リレ−のコイル３用直流電源３Ｖ６、単相漏電遮断器７、三相漏電遮断器８、単相コンセント１０、三相コンセント１を有してなるものである。まず、請求項１については次のとおり。すなわち、この請求項１の火災煙警報器１による単相漏電遮断器７および三相漏電遮断器８の動作は、一般電器製品、産業用機器、変電所内機器の火災による煙を感知して、自動的に漏電遮断器を動作に関する。そして、火災煙警報器１の信号を、電気制御回路部９に入力させ、単相漏電遮断器７のＬＩＮＥ側、三相漏電遮断器８のＲ相またはＴ相が接地されて単相漏電遮断器７および三相漏電遮断器８が動作する。
【考案の効果】
【０００７】
本考案に係わる火災煙警報器による漏電遮断器の動作は、以上考案したように、火災煙警報器１の信号を、電気制御回路部９に入力させ、単相漏電遮断器７および三相漏電遮断器８を動作させ、次の効果を発揮する。
【０００８】
第１に、自動的かつ安定的に、漏電遮断機を動作できる。すなわち、火災煙警報器による漏電遮断器の動作は、人手を介することなく自動的に、火災の時の煙を感知して、漏電遮断器を動作できるようになる。そこで、一般電器製品、産業用機器、変電所内機器として広く使用可能である。
【０００９】
もって、この火災煙警報器による漏電遮断器の動作回路を使用すると、一般電器製品、産業用機器、変電所内機器が、漏電等により煙が発生した時に、火災が広がらないように、事前に電源回路を遮断できるようになる。
【００１０】
第２に、しかもこれは簡易容易に実現される。すなわち、この火災煙警報器による漏電遮断器の動作は、火災煙警報器１、電気制御回路部９、単相漏電遮断器７、三相漏電遮断器８等の簡単な構成よりなる。もって、コスト面に優れると共に安定性に優れている。このように、この種従来例に存した課題がすべて解決される等、本考案の発揮は、顕著にして大なるものがある。
【図面の簡単な説明】
【００１１】
【図１】単相漏電遮断器用全体図
【図２】三相漏電遮断器用全体図
【考案を実施するための形態】
【００１２】
図１、図２、を参照しつつ、この火災煙警報機による漏電遮断器の動作について説明する。この火災煙警報機による漏電遮断器は、火災煙警報機１によって単相漏電遮断器７、三相漏電遮断器８を遮断して、一般電気製品、産業用機器、変電所内機器を火災により防御するためである。そして、火災煙警報機１、電気制御回路部９、単相漏電遮断器７、三相漏電遮断器８等を有している。
【００１３】
これらについて詳述すると、図１、図２、に示したように、まず火災煙警報機１からの出力線Ａ、Ｂの、Ａは火災煙警報機１の音声出力の片側、Ｂは火災煙警報機１の電池電源のマイナス側である。電気制御回路部９は、エミッタ接地形トランジスタ２、電磁リレ−のコイル３、電磁リレ−のａ接点４、接地線５、電磁リレ−のコイル３用直流電源３Ｖ６が形成されている。
【００１４】
電気制御回路部９について、図１、図２を参照しつつ説明する。火災煙警報器１の音声出力の片側Ａには、エミッタ接地形トランジスタ２のベ−スに、火災煙警報機１の電池電源のマイナス側のＢには、エミッタに、電磁リレ−のコイル３には、コレクタにそれぞれ接続し、電磁リレ−のａ接点４には、単相漏電遮断器７のＬ側および三相漏電遮断器８のＲ相もしくはＴ相と接地線５を接続した構成となっている。
【００１５】
全体の配置は、絶縁性のあるプラスチックの基盤に、ネジで固定し、電気制御回路部９は、ＩＣ基盤で、はんだ付けした構成となっている。
【実施例１】
【００１６】
図１、図２で火災が無く煙が発生していない時には、エミッタ形接地トランジスタ２のベ−スに、入力電気信号が無いので、単相コンセント７には１００Ｖ、三相コンセント８には２２０Ｖが生じる。
【実施例２】
【００１７】
図１、図２で火災が有り、煙が発生している時には、エミッタ形接地トランジスタ２のベ−スに、入力電気信号が入るので、電磁リレ−のコイル３が動作し、電磁リレ−のａ接点４が閉じ、単相漏電遮断器７のＬ側および三相漏電遮断器８のＲ相もしくはＴ相と接地線５が接続されて、単相漏電遮断器７、三相漏電遮断器８が動作して単相コンセント１０には１００Ｖ、三相コンセント１１には２２０Ｖは生じない。
【産業上の利用可能性】
【００１８】
一般電気製品、産業用機器、変電所内機器に漏電遮断器を、取り付けながら、電流を流し続けて火災が広がり、甚大な被害が多く発生しているので、この火災煙警報機による漏電遮断器の動作を用いると、問題が解決される。また単相３線式の漏電遮断器にも用いられ、需要は多いと思います。
【符号の説明】
【００１９】
１  火災煙警報機
２  エミッタ接地形トランジスタ
３  電磁リレ−のコイル
４  電磁リレ−のａ接点
５  接地線
６  電磁リレ−コイル用３Ｖは火災煙警報器の電源
７  単相漏電遮断器
８  三相漏電遮断器
９  電気制御回路部
１０  単相コンセント
１１  三相コンセント
【図１】
0003174963.tif 000003
【図２】
0003174963.tif 000004
【手続補正書】
【提出日】平成24年2月3日(2012.2.3)
【手続補正２】
【補正対象書類名】実用新案登録請求の範囲
【補正対象項目名】全文
【補正方法】変更
【補正の内容】
【実用新案登録請求の範囲】
【請求項１】
火災煙警報器１の音声出力側Ａが、エミッタ接地形トランジスタ２のベ−スに接続され、火災煙警報器１の電池電源のマイナス側Ｂが、エミッタ接地形トランジスタ２のエミッタに接続され、電磁リレ−のコイル３が、エミッタ接地形トランジスタ２のコレクタと直流電源のプラスに接続され、エミッタ接地形トランジスタ２のエミッタが、直流電源のマイナスに接続され、電磁リレ−の開閉器のａ接点４が接地線５に接続され、接地線５と単相漏電遮断器７のＬ側、三相漏電遮断器８のＲ相またはＴ相とが接続されている火災煙警報器による漏電遮断器。
【手続補正３】
【補正対象書類名】明細書
【補正対象項目名】０００６
【補正方法】変更
【補正の内容】
【０００６】
このような課題を解決する本考案の技術的手段は、火災煙警報器１の音声出力側Ａが、エミッタ接地形トランジスタ２のベ−スに接続され、火災煙警報器１の電池電源のマイナス側Ｂが、エミッタ接地形トランジスタ２のエミッタに接続され、電磁リレ−のコイル３が、エミッタ接地形トランジスタ２のコレクタと直流電源のプラスに接続され、エミッタ接地形トランジスタ２のエミッタが直流電源のマイナスに接続され、電磁リレ−の開閉器のａ接点４が接地線５に接続され、接地線５と単相漏電遮断器７のＬ側、三相漏電遮断器８のＲ相またはＴ相とが接続されている火災煙警報器による漏電遮断器。